【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
画像形成装置に、印刷される画像を送信する画像処理装置であって、
給紙口毎の印字位置調整値を保持する保持手段と、
印刷要求に基づき印刷に用いられる給紙口を判定する判定手段と、
前記判定手段の判定結果と前記保持手段で保持される給紙口毎の印字位置調整値に基づいて、前記判定手段により判定された給紙口に対する主走査位置ずれに係る補正量を決定する補正量決定手段と、
前記補正量決定手段によって決定された前記補正量と前記画像形成装置の副走査方向の位置ずれ情報とを用いた副走査方向の位置ずれ補正を、印刷される画像に対して行う副走査方向の位置ずれ補正手段と、
を備えることを特徴とする画像処理装置。
【請求項２】
前記判定手段は、
前記印刷要求が、複数の給紙口の中から給紙口が自動的に選択されて印刷が行われるものであるか、前記複数の給紙口の中のひとつの給紙口が指定されて印刷が行われるものであるかを判定する給紙口判定手段と、
前記給紙口判定手段により判定された前記印刷要求が、給紙口が自動的に選択されて印刷が行われるものである場合、前記印刷要求で指定された用紙のサイズおよび用紙の種類と同一のサイズおよび種類の用紙が収容されている給紙口がひとつに特定されるか、あるいは、複数であるかを判定する用紙属性判定手段と、
を有することを特徴とする請求項１に記載の画像処理装置。
【請求項３】
前記補正量決定手段は、前記判定手段による判定の結果、印刷に用いられる給紙口がひとつの給紙口に特定される場合、前記特定された給紙口に対応する前記保持手段に保持された印字位置調整値に基づいて補正量を決定することを特徴とする請求項１または２に記載の画像処理装置。
【請求項４】
前記補正量決定手段は、前記判定手段による判定の結果、印刷に用いられる給紙口が複数である場合、該複数の給紙口に対応する前記保持手段に保持された複数の印字位置調整値の平均値に基づいて補正量を決定することを特徴とする請求項１乃至３の何れか１項に記載の画像処理装置。
【請求項５】
前記補正量決定手段は、前記判定手段による判定の結果、印刷に用いられる給紙口が複数である場合、予め定められた値に基づいて補正量を決定することを特徴とする請求項１乃至３の何れか１項に記載の画像処理装置。
【請求項６】
前記補正量決定手段は、前記判定手段による判定の結果、印刷に用いられる給紙口が複数である場合、補正量を、前記副走査方向の位置ずれ補正において給紙口に対する主走査位置ずれの補正が行われない値に基づいて決定することを特徴とする請求項３に記載の画像処理装置。
【請求項７】
画像形成装置に、印刷される画像を送信する画像処理装置であって、
給紙口毎の印字位置調整値を保持する保持手段と、
印刷要求に基づき印刷に用いられる給紙口を判定する判定手段と、
前記判定手段による判定の結果、印刷に用いられる給紙口がひとつの給紙口に特定される場合、前記特定された給紙口に対応する前記印字位置調整値に基づく主走査位置ずれ補正の補正量を求め、当該補正量を用いて前記主走査位置ずれ補正の考慮された、前記画像形成装置の副走査方向の位置ずれ情報に基づく副走査方向の位置ずれ補正を、印刷される画像に対して行い、
前記判定手段による判定の結果、印刷に用いられる給紙口が複数である場合、給紙口に対する主走査位置ずれ補正の考慮されていない、前記画像形成装置の副走査方向の位置ずれ情報に基づく副走査方向の位置ずれ補正を、印刷される画像に対して行う副走査方向の位置ずれ補正手段と、
を備えることを特徴とする画像処理装置。
【請求項８】
画像形成装置と情報処理端末とを有する画像形成システムであって、
前記画像形成装置は、
給紙口毎の印刷位置の調整値を保持する保持手段と、
前記保持手段に保持されている調整値を前記情報処理端末に伝える通知手段と、
を備え、
前記情報処理端末は、
前記画像形成装置の前記通知手段によって通知される前記保持手段に保持されている調整値を受信する受信手段と、
印刷要求に基づき、印刷に用いられる給紙口を判定する判定手段と、
前記判定手段の判定結果と前記受信手段で受信される給紙口毎の調整値に基づいて、前記判定手段により判定された給紙口に対する主走査位置ずれに係る補正量を決定する補正量決定手段と、
前記補正量決定手段によって決定された前記補正量と前記画像形成装置の副走査方向の位置ずれ情報とを用いた副走査方向の位置ずれ補正を、印刷される画像に対して行う副走査位置ずれ補正手段と、
を備えることを特徴とする画像形成システム。
【請求項９】
前記情報処理端末の前記判定手段は、
前記印刷要求が、複数の給紙口の中から給紙口が自動的に選択されて印刷が行われるものであるか、前記複数の給紙口の中のひとつの給紙口が指定されて印刷が行われるものであるかを判定する給紙口判定手段と、
前記印刷要求で指定された用紙のサイズおよび用紙の種類と同一のサイズおよび種類の用紙が収容されている給紙口がひとつに特定されるか、あるいは、複数であるかを判定する用紙属性判定手段と、
を有することを特徴とする請求項８に記載の画像形成システム。
【請求項１０】
前記補正量決定手段は、前記判定手段による判定の結果、印刷に用いられる給紙口がひとつの給紙口に特定される場合は、前記特定された給紙口に対応する前記受信手段で受信された調整値に基づいて補正量を決定することを特徴とする請求項８または９に記載の画像形成システム。
【請求項１１】
前記補正量決定手段は、前記判定手段による判定の結果、印刷に用いられる給紙口が複数である場合、該複数の給紙口に対応する前記受信手段で受信された複数の調整値の平均値に基づいて補正量を決定することを特徴とする請求項８乃至１０の何れか１項に記載の画像形成システム。
【請求項１２】
前記補正量決定手段は、前記判定手段による判定の結果、印刷に用いられる給紙口が複数である場合、予め定められた値に基づいて補正量を決定することを特徴とする請求項８乃至１０の何れか１項に記載の画像形成システム。
【請求項１３】
前記補正量決定手段は、前記判定手段による判定の結果、印刷に用いられる給紙口が複数である場合、補正量を、前記副走査方向の位置ずれ補正において給紙口に対する主走査位置ずれの補正が行われない値に基づいて決定することを特徴とする請求項１０に記載の画像形成システム。
【請求項１４】
画像形成装置と情報処理端末とを有する画像形成システムであって、
前記画像形成装置は、
給紙口毎の印刷位置の調整値を保持する保持手段と、
前記保持手段に保持されている調整値を前記情報処理端末に伝える通知手段と、
を備え、
前記情報処理端末は、
前記画像形成装置の前記通知手段によって通知される前記保持手段に保持されている調整値を受信する受信手段と、
印刷要求に基づき、印刷に用いられる給紙口を判定する判定手段と、
前記判定手段による判定の結果、印刷に用いられる給紙口がひとつの給紙口に特定される場合、前記特定された給紙口に対応する前記調整値に基づく主走査位置ずれ補正の補正量を求め、当該補正量を用いて前記主走査位置ずれ補正の考慮された、前記画像形成装置の副走査方向の位置ずれ情報に基づく副走査方向の位置ずれ補正を、印刷される画像に対して行い、
前記判定手段による判定の結果、印刷に用いられる給紙口が複数である場合、給紙口に対する主走査位置ずれ補正の考慮されていない、前記画像形成装置の副走査方向の位置ずれ情報に基づく副走査方向の位置ずれ補正を、印刷される画像に対して行う副走査方向の位置ずれ補正手段と、
を備えることを特徴とする画像形成システム。
【請求項１５】
画像形成装置に、印刷される画像を送信する画像処理装置の実行する画像処理方法であって、
保持手段が、給紙口毎の印字位置調整値を保持する保持工程と、
判定手段が、印刷要求に基づき印刷に用いられる給紙口を判定する判定工程と、
補正量決定手段が、前記判定工程の判定結果と前記保持工程で保持される給紙口毎の印字位置調整値に基づいて、前記判定工程により判定された給紙口に対する主走査位置ずれに係る補正量を決定する補正量決定工程と、
補正手段が、前記補正量決定工程によって決定された前記補正量と前記画像形成装置の副走査方向の位置ずれ情報とを用いた副走査方向の位置ずれ補正を、印刷される画像に対して行う副走査方向の位置ずれ補正工程と、
を有することを特徴とする画像処理方法。
【請求項１６】
請求項１乃至７の何れか１項に記載の各手段として、コンピュータを機能させることを特徴とするコンピュータプログラム。
【請求項１７】
画像形成装置の給紙口の印刷位置に基づき決まる主走査位置の情報を取得する取得手段と、
前記取得手段で取得された主走査位置の情報および前記画像形成装置の副走査方向の位置ずれ情報を用いた副走査方向の位置ずれ補正を、印刷される画像に対して行う補正手段と、
を有する画像処理装置。
【請求項１８】
取得手段が、画像形成装置の給紙口の印刷位置に基づき決まる主走査位置の情報を取得する取得工程と、
補正手段が、前記取得工程で取得された主走査位置の情報および前記画像形成装置の副走査方向の位置ずれ情報を用いた副走査方向の位置ずれ補正を、印刷される画像に対して行う補正工程と、
を有する画像処理方法。
【請求項１９】
請求項１７に記載の各手段として、コンピュータを機能させることを特徴とするコンピュータプログラム。
【手続補正２】
【補正対象書類名】明細書
【補正対象項目名】００１５
【補正方法】変更
【補正の内容】
【００１５】
上記課題を解決するために、本発明に係る画像処理装置は、
画像形成装置に、印刷される画像を送信する画像処理装置であって、
給紙口毎の印字位置調整値を保持する保持手段と、
印刷要求に基づき印刷に用いられる給紙口を判定する判定手段と、
前記判定手段の判定結果と前記保持手段で保持される給紙口毎の印字位置調整値に基づいて、前記判定手段により判定された給紙口に対する主走査位置ずれに係る補正量を決定する補正量決定手段と、
前記補正量決定手段によって決定された前記補正量と前記画像形成装置の副走査方向の位置ずれ情報とを用いた副走査方向の位置ずれ補正を、印刷される画像に対して行う副走査方向の位置ずれ補正手段と、
を備えることを特徴とする。